【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
第１の分周回路と、
第２の分周回路と、
前記第１の分周回路の出力及び前記第２の分周回路の出力が与えられる位相比較回路と、
前記位相比較回路の出力が与えられ、なおかつ入力される信号に従って時定数が切り替わるループフィルタと、
前記ループフィルタの出力が与えられ、なおかつ前記第２の分周回路に出力を与える電圧制御発振回路と、を有することを特徴とする位相同期回路。
【請求項２】
第１の信号及び分周回路の出力が与えられる位相比較回路と、
前記位相比較回路の出力が与えられ、なおかつ入力される信号に従って時定数が切り替わるループフィルタと、
前記ループフィルタの出力が与えられ、なおかつ前記分周回路に出力を与える電圧制御発振回路と、を有することを特徴とする位相同期回路。
【請求項３】
第１の信号が入力され、なおかつ第２の信号に従って分周数が切り替わる第１の分周回路と、
前記第２の信号に従って分周数が切り替わる第２の分周回路と、
前記第１の分周回路の出力及び前記第２の分周回路の出力が与えられる位相比較回路と、
前記位相比較回路の出力が与えられるループフィルタと、
前記ループフィルタの出力が与えられ、なおかつ前記第２の分周回路に、前記第１の信号に対する周波数の比が一定である第３の信号を与える電圧制御発振回路と、を有することを特徴とする位相同期回路。
【請求項４】
第１の信号が入力され、なおかつ第２の信号に従って分周数が切り替わる第１の分周回路と、
前記第２の信号に従って分周数が切り替わる第２の分周回路と、
前記第１の分周回路の出力及び前記第２の分周回路の出力が与えられる位相比較回路と、
前記位相比較回路の出力が与えられるループフィルタと、
前記ループフィルタの出力が与えられ、前記第１の信号に対する周波数の比が一定である前記第２の信号を出力する電圧制御発振回路と、を有することを特徴とする位相同期回路。
【請求項５】
第１の分周回路と、
第２の分周回路と、
前記第１の分周回路の出力及び前記第２の分周回路の出力が与えられる位相比較回路と、
前記位相比較回路の出力が与えられるループフィルタと、
バイアス回路と、
信号に従って、前記ループフィルタの出力が与えられるか、前記バイアス回路の出力が与えられるかが選択され、なおかつ前記第２の分周回路に出力を与える電圧制御発振回路と、を有することを特徴とする位相同期回路。
【請求項６】
第１の分周回路と、
第２の分周回路と、
前記第１の分周回路の出力及び前記第２の分周回路の出力が与えられる位相比較回路と、前記位相比較回路の出力が与えられるループフィルタと、
前記ループフィルタの出力が与えられ、前記第２の分周回路に出力を与え、なおかつ入力される信号に従って自走発振周波数が切り替わる電圧制御発振回路と、を有することを特徴とする位相同期回路。
【請求項７】
アンテナから入力された交流信号を復調することで、第１の信号を出力する復調回路と、
前記第１の信号を復号することで第２の信号を出力する復号回路と、
前記第１の信号及び前記第２の信号が入力され、第３の信号を出力する位相同期回路と、を有し、
前記第２の信号はデータ受信期間とデータ送信期間とで異なる値を有し、
前記位相同期回路は前記第２の信号に従って特性が変化することを特徴とする半導体装置。
【請求項８】
アンテナから入力された交流信号を復調することで、第１の信号を出力する復調回路と、
第２の信号を出力するメモリ制御回路と、前記第１の信号及び前記第２の信号が入力され、第３の信号を出力する位相同期回路と、を有し、
前記第２の信号はメモリへの書き込み期間と読み出し期間とで異なる値を有し、
前記位相同期回路は前記第２の信号に従って特性が変化することを特徴とする半導体装置。
【請求項９】
アンテナから入力された交流信号を復調することで、第１の信号を出力する復調回路と、
前記第１の信号を復号することで第２の信号を出力する復号回路と、
前記第１の信号及び前記第２の信号が入力され、第３の信号を出力する位相同期回路と、を有し、
前記第２の信号はデータ受信期間とデータ送信期間とで異なる値を有し、
前記位相同期回路は、前記第２の信号に従って時定数が切り替わるループフィルタを有することを特徴とする半導体装置。
【請求項１０】
アンテナから入力された交流信号を復調することで、第１の信号を出力する復調回路と、
前記第１の信号を復号することで第２の信号を出力する復号回路と、
前記第１の信号及び前記第２の信号が入力され、第３の信号を出力する位相同期回路と、を有し、
前記第２の信号はデータ受信期間とデータ送信期間とで異なる値を有し、
前記位相同期回路は、前記第１の信号が入力される第１の分周回路と、第２の分周回路と、前記第１の分周回路の出力及び前記第２の分周回路の出力が与えられる位相比較回路と、前記位相比較回路の出力が与えられ、なおかつ前記第２の信号に従って時定数が切り替わるループフィルタと、前記ループフィルタの出力が与えられ、なおかつ前記第２の分周回路に前記第３の信号を与える電圧制御発振回路と、を有することを特徴とする半導体装置。
【請求項１１】
アンテナから入力された交流信号を復調することで、第１の信号を出力する復調回路と、
前記第１の信号を復号することで第２の信号を出力する復号回路と、
前記第１の信号及び前記第２の信号が入力され、第３の信号を出力する位相同期回路と、を有し、
前記第２の信号はデータ受信期間とデータ送信期間とで異なる値を有し、
前記位相同期回路は、前記第１の信号が入力され、なおかつ前記第２の信号に従って分周数が切り替わる第１の分周回路と、前記第２の信号に従って分周数が切り替わる第２の分周回路と、前記第１の分周回路の出力及び前記第２の分周回路の出力が与えられる位相比較回路と、前記位相比較回路の出力が与えられるループフィルタと、前記ループフィルタの出力が与えられ、前記第１の信号に対する周波数の比が一定である前記第２の信号を出力する電圧制御発振回路と、を有することを特徴とする半導体装置。
【請求項１２】
アンテナから入力された交流信号を復調することで、第１の信号を出力する復調回路と、
前記第１の信号を復号することで第２の信号を出力する復号回路と、
前記第１の信号及び前記第２の信号が入力され、第３の信号を出力する位相同期回路と、を有し、
前記第２の信号はデータ受信期間とデータ送信期間とで異なる値を有し、
前記位相同期回路は、前記第１の信号が入力される第１の分周回路と、第２の分周回路と、前記第１の分周回路の出力及び前記第２の分周回路の出力が与えられる位相比較回路と、前記位相比較回路の出力が与えられるループフィルタと、バイアス回路と、前記第２の信号に従って、前記ループフィルタの出力が与えられるか、前記バイアス回路の出力が与えられるかが選択され、なおかつ前記第２の分周回路に前記第３の信号を与える電圧制御発振回路と、を有することを特徴とする半導体装置。
【請求項１３】
アンテナから入力された交流信号を復調することで、第１の信号を出力する復調回路と、
前記第１の信号を復号することで第２の信号を出力する復号回路と、
前記第１の信号及び前記第２の信号が入力され、第３の信号を出力する位相同期回路と、を有し、
前記第２の信号はデータ受信期間とデータ送信期間とで異なる値を有し、
前記位相同期回路は、前記第１の信号が入力される第１の分周回路と、第２の分周回路と、前記第１の分周回路の出力及び前記第２の分周回路の出力が与えられる位相比較回路と、前記位相比較回路の出力が与えられるループフィルタと、前記ループフィルタの出力が与えられ、前記第２の分周回路に前記第３の信号を与え、なおかつ入力される前記第２の信号に従って自走発振周波数が切り替わる電圧制御発振回路と、を有することを特徴とする半導体装置。
【請求項１４】
請求項７乃至請求項１３のいずれか１項に記載の半導体装置と、前記半導体装置に接続された前記アンテナとを有することを特徴とする無線タグ。